(57)【要約】【課題】必要なユニット強度を確保しつつ１階の床から２階の天井に渡る大きなボックス空間を確保できるユニット式建物を提供する。【解決手段】上下に積み重ねた建物ユニット１０Ａ，３０Ａの側面の一領域から外方へ突出して補助ユニット５０Ａ，７０Ａを設け、補助ユニット内の空間とこれに隣接する建物ユニットの空間とで画成される下階から上階へ連続したボックス空間Ｓを備え、補助ユニット取付壁面に沿って配置される下階の上部梁１６ａ及び上階の下部梁４４ａを、ボックス空間Ｓ内を梁が横切らないよう長さが短い水平材とし、上部梁１６ａ及び下部梁４４ａにおけるボックス空間Ｓ側の各端部を、上下方向に配設した第１軸材２３ａ，４３ａとボックス空間内を横切らないよう水平方向に配設した第２軸材２４ａ，４４ａとによって支持する。【選択図】図１
2008214965.tif 000002
【特許請求の範囲】
【請求項１】
上下に積み重ねられた骨組構造タイプの建物ユニットと、上記積み重ねられた建物ユニットの側面の一領域から外方へ突出するよう設けられた補助ユニットと、上記補助ユニット内の空間とこれに隣接して配置される上記建物ユニットの空間とによって画成される下階から上階へ連続したボックス空間と、を備え、
補助ユニット取付壁面に沿って配置される下階の建物ユニットの上部梁及び上階の建物ユニットの下部梁は、上記ボックス空間内を梁が横切らないよう、長さを短く設定した１本又は２本の水平材として構成され、
上記下階の建物ユニットの上部梁及び上記上階の建物ユニットの下部梁における上記ボックス空間側の各端部が、上下方向に配設した第１軸材と、上記ボックス空間内を横切らないよう水平方向に配設した第２軸材と、によって支持されていることを特徴とする、ユニット式建物。
【請求項２】
前記補助ユニットは、前記下階の建物ユニットに対応する下階の補助ユニットと、前記上階の建物ユニットに対応する上階の補助ユニットとが積み重ねられて成ることを特徴とする、請求項１に記載のユニット式建物。
【請求項３】
前記補助ユニットは、前記下階と上階の建物ユニットに対応して下階から上階へ連続した大きさであることを特徴とする、請求項１に記載のユニット式建物。
【請求項４】
前記下階から上階へ連続したボックス空間は、吹き抜け空間、エレベータ設置空間又は階段空間のいずれかであることを特徴とする、請求項１から３の何れかに記載のユニット式建物。
【発明の詳細な説明】
【技術分野】
【０００１】
本発明は、梁と柱とで骨組みして建物の必要強度を確保した骨組構造タイプの箱形の建物ユニットを複数積み重ねてなるユニット式建物に関する。
【背景技術】
【０００２】
従来、箱形の建物ユニットを複数積み重ねてなるユニット式建物において、吹き抜け空間を形成して階段を設ける技術が提案されている（特許文献１参照）。このユニット式建物は、上階の建物ユニットの床パネルに吹き抜け開口部を設けて、この吹き抜け開口部を通して上階の建物ユニットと下階の建物ユニットとにまたがる吹き抜け空間を設置し、この吹き抜け空間に階段を形成している。しかしながら、従来は規定の寸法の建物ユニット内に階段を設置していたため、建物ユニットの寸法によって吹き抜け空間が制限されてしまい、階段を急勾配にしなければならないという問題があった。
【０００３】
そこで、緩やかな勾配の階段を設置できるユニット式建物が提案されている（特許文献２参照）。このユニット式建物は、床面部材と壁面部材とで構成された建物ユニットを複数積み重ねて構成され、上階の建物ユニットの階段を設置する部分を吹き抜け開口部とし、上階の建物ユニットの壁及び下階の壁のうち階段を設置する部分に開口を設け、この開口を塞ぐように上下に連続する張り出し部用補助ユニットを取り付け、この張り出し部用補助ユニットの内部まで吹き抜け開口部を拡張し、この吹き抜け開口部に階段を形成すると共に、建物の必要強度を確保するために吹き抜け開口部を取り巻く壁を耐力壁とした構成である。
【０００４】
【特許文献１】特開平５−３３９９９７号公報
【特許文献２】特開平１１−１０７３７９号公報（図６〜図８）
【発明の開示】
【発明が解決しようとする課題】
【０００５】
しかしながら、特許文献２の考え方を骨組構造タイプのユニット式建物に適用することはできない。以下、その理由を説明する。
図４は、骨組構造タイプの建物ユニット１０Ｄ，３０Ｄを２階建てに積み重ね、これに平面視コ字状に構成された補助ユニット５０Ｄ，７０Ｄを２階建てに積み重ねたものを取り付けて構築する骨組構造タイプのユニット式建物１００Ｄの分解状態を示している。なお、建物ユニット１０Ｄ，３０Ｄと補助ユニット５０Ｄ，７０Ｄは、いずれも骨組構造タイプの建物ユニットである。詳述すると、骨組構造タイプの箱形の下階用建物ユニット１０Ｄの上に、骨組構造タイプの箱形の上階用建物ユニット３０Ｄを積み重ね、さらに、骨組構造タイプの下階用補助ユニット５０Ｄを下階用建物ユニット１０Ｄの長辺の面に取り付け、その上に、骨組構造タイプの上階用補助ユニット７０Ｄを積み重ねてかつ上階用建物ユニット３０Ｄに接続増床する。なお、床、壁、天井の各位置の面部材が設けられるが図示を省略している。
上記のように、室内空間を大きくするために上下の建物ユニット１０Ｄ，３０Ｄに張り出し部用の補助ユニット５０Ｄ，７０Ｄを設けられた骨組構造タイプのユニット式建物１００Ｄは、図４（ｂ）に示すように、１、２階の補助ユニット５０Ｄ，７０Ｄで囲まれた空間と１、２階の建物ユニット１０Ｄ，３０Ｄの一部で形成された１階床から２階天井に渡るボックス空間Ｓを形成する場合、空間Ｓの中央に、１階の建物ユニット１０Ｄの上部梁１０１と２階の建物ユニット３０Ｄの下部梁１０２とが存在するので、吹き抜け空間として使用するには見栄えが悪く、また梁が邪魔になりエレベータ或いは階段を設けることができない。
【０００６】
また、この梁をカットすると吊り上げることが不能になり強度上施工ができないから、カットすることは考えられない。このため、特許文献２の考え方を骨組構造タイプのユニット式建物に適用することができない。
【０００７】
この発明は、以上の問題点に鑑み、骨組構造タイプの建物ユニット及び補助ユニットを２階建てに積み重ねたユニット式建物であって、必要なユニット強度を確保しつつ１階の床から２階の天井に渡る大きなボックス空間を確保できるユニット式建物を提供することを目的とする。
【課題を解決するための手段】
【０００８】
上記目的を達成するために、本発明のユニット式建物は、上下に積み重ねられた骨組構造タイプの建物ユニットと、積み重ねられた建物ユニットの側面の一領域から外方へ突出するよう設けられた補助ユニットと、補助ユニット内の空間とこれに隣接して配置される建物ユニットの空間とによって画成される下階から上階へ連続したボックス空間と、を備え、補助ユニット取付壁面に沿って配置される下階の建物ユニットの上部梁及び上階の建物ユニットの下部梁は、ボックス空間内を梁が横切らないよう、長さを短く設定した１本又は２本の水平材として構成され、下階の建物ユニットの上部梁及び上階の建物ユニットの下部梁における上記ボックス空間側の各端部が、上下方向に配設した第１軸材と、ボックス空間内を横切らないよう水平方向に配設した第２軸材と、によって支持されていることを特徴とする。
この発明において、「骨組構造タイプの建物ユニット」とは、梁と柱とが骨組みされて建物の輪郭・強度が確保され接続面を除く床、壁、天井の各位置にそれぞれに必要な面部材を取り付けてなる建物ユニットを称する。「補助ユニット」とは、骨組構造タイプの建物ユニットの増床を目的とし３側面の矩形枠を梁と柱とで骨組みされて建物の輪郭・強度が確保され接続面を除く床、壁、天井の各位置にそれぞれに必要な面部材を取り付けてなる建物ユニットを称する。「骨組構造タイプのユニット式建物」とは、骨組構造タイプの建物ユニットに、骨組構造タイプ又は壁構造タイプの補助ユニットを増床したものを称する。
【０００９】
このユニット式建物によれば、例えば以下のようにパーツを製作して組み立てることができる。まず、工場にて、下階と上階となる２つの建物ユニットを作り、また補助ユニットを作る。この場合、下階となる建物ユニットは、前記補助ユニットに対応する上部梁を前記補助ユニットに対応する部分を除いて設けて、該上部梁の前記補助ユニットに対応した端部を、下側の梁の中途に下端を連結した中間柱の上端と連結すると共に同じ高さで平行な上側の梁の中途に一端を連結した中間梁の他端と連結して、該上部梁の構造強度を確保する。また、上階となる建物ユニットは、前記補助ユニットに対応する下部梁を前記補助ユニットに対応する部分を除いて設けて、該下部梁の補助ユニットに対応した端部を、上側の梁の中途に上端を連結した中間柱の下端と連結すると共に同じ高さで平行な下側の梁の中途に一端を連結した中間梁の他端と連結して、下部梁の構造強度を確保する。補助ユニットは、前記下階と上階の建物ユニットとの接続面内には梁が存在しないように設ける。
【００１０】
組み立てるには、例えば下階の建物ユニットの上に上階の建物ユニットを積み重ね、下階の建物ユニットに下階の補助ユニットを増床し下階の補助ユニットの上に上階の補助ユニットを積み重ねる。すると、１階及び２階に渡るボックス空間が、建物ユニットの空間の一部及び補助ユニットで囲まれた空間とで構成される。
以上により、室内スペースを大きく確保できて空間内に梁が存在しないように１階の床から２階の天井までに渡る大きなボックス空間を確保できかつ必要なユニット強度が確保できるユニット式建物となる。
【００１１】
補助ユニットは、下階の建物ユニットに対応する下階の補助ユニットと、上階の建物ユニットに対応する上階の補助ユニットとが積み重ねられて成るか、もしくは下階と上階の建物ユニットに対応して下階から上階へ連続した大きさであることが望ましい。
【００１２】
前者の補助ユニットによれば、下階の建物ユニットを設置し次いで上階の建物ユニットを積み重ね、その後に下階の建物ユニットに下階の補助ユニットを接続して増床し、次いで上階の建物ユニットを下階の補助ユニットの上に積み重ねて上階の建物ユニットと接続できる。トラック搬送が可能であれば、工場で下階の建物ユニットと下階の補助ユニットを接続してトラック搬送して、建築地へ設置し、同様に、工場で上階の建物ユニットと上階の補助ユニットを接続してトラック搬送して、下階の建物ユニットと下階の補助ユニットの上に積み重ねることができる。
また、後者の補助ユニットによれば、補助ユニットは１階と２階に渡る大きさであるので、補助ユニットと下階の建物ユニットと上階の建物ユニットは各別に工場で製作してトラックで建築地へ搬送する。そして、下階の建物ユニットを設置し、次いで上階の建物ユニットを積み重ね、その後に補助ユニットを設置して下階と上階の建物ユニットに接続する。
【００１３】
下階から上階へ連続したボックス空間は、吹き抜け空間、エレベータ設置空間又は階段空間の何れかとすることができる。
【発明の効果】
【００１４】
本発明によれば、骨組構造タイプの建物ユニットを２階建てに積み重ねると共に３側面が骨組み構造の張り出し部用補助ユニットを２階建てに積み重ねたユニット式建物において、空間内に梁が存在しないように必要なユニット強度を確保しつつ、１階の床から２階の天井に渡る大きなボックス空間を確保できる。
【発明を実施するための最良の形態】
【００１５】
以下、この発明の幾つかの実施の形態について図面を参照して説明する。
［実施の形態１］
図１（ａ）に示すように、この実施の形態１のユニット式建物１００Ａは、基礎の上に設置される下階の建物ユニット１０Ａと、下階の建物ユニット１０Ａの上に積み重ねられる上階の建物ユニット３０Ａと、下階の建物ユニット１０Ａの長尺壁面の片側に増設される下階の補助ユニット５０Ａと、下階の補助ユニット５０Ａの上に積み重ねられ上階の建物ユニット３０Ａと連結された上階の補助ユニット７０Ａとからなり、図１（ｂ）に示すように、１階床から２階天井に渡る骨組・壁が無いボックス空間Ｓが、下階及び上階の張り出し用補助ユニット５０Ａ，７０Ａで囲まれた空間と下階と上階の建物ユニット１０Ａ，３０Ａで囲まれた空間の一部とで形成される。以下、この構造をさらに詳述する。
【００１６】
下階となる建物ユニット１０Ａは、下部梁１１ａ，１２ａ，１３ａ，１４ａで長矩形に骨組みした下部梁組と、上部梁１５ａ，１６ａ，１７ａ，１８ａで長矩形に骨組みした上部梁組と、下部梁組の四隅に立設され上部梁の四隅を支える４本の柱１９ａ，２０ａ，２１ａ，２２ａとにより、建物の必要強度が確保される直方体形の骨組構造タイプであるのが通常であるところ、ここでは、下階の補助ユニット５０Ａに対応する上部梁１６ａについて以下のように相違している。
下階の建物ユニット１０Ａの前記下階の補助ユニット５０Ａ側の上部梁１６ａは、ボックス空間Ｓ内に骨組・壁が無い状態とするために、長尺な梁とはしないで、下階の補助ユニット５０Ａに対応する部分（点線部分）Ｋ１を除いて長さを短く設定した１本の水平材として設けられる。
これにより上部梁１６ａが宙ぶらりになってしまうのを回避して建物強度を保持するため、この上部梁１６ａのボックス空間Ｓ側の端部が、下側の下部梁１２ａの中途に下端を連結した第１軸材である中間柱２３ａの上端と連結支持されると共に、上部梁１６ａと同じ高さで平行な上側の上部梁１８ａの中途に一端を連結した第２軸材である中間梁２４ａの他端と連結される。この実施の形態では、さらに、中間梁２５ａと中間柱２６ａとが前記の中間柱２３ａと中間梁２４ａと合せて矩形枠組みとなるように設けられ、建物強度が十分に保持される。
【００１７】
上階となる建物ユニット３０Ａは、下部梁３１ａ，３２ａ，３３ａ，３４ａで長矩形に骨組みした下部梁組と、上部梁３５ａ，３６ａ，３７ａ，３８ａで長矩形に骨組みした上部梁組と、下部梁組の四隅に立設され上部梁組の四隅を支える４本の柱３９ａ，４０ａ，４１ａ，４２ａとにより、建物の必要強度が確保されると共に、上階の補助ユニット７０Ａに対応する下部梁３２ａについて以下のように相違している。
上階の建物ユニット３０Ａの前記上階の補助ユニット７０Ａ側の下部梁３２ａは、ボックス空間Ｓ内に骨組・壁が無い状態とするために、長尺な梁とはしないで、該上階の補助ユニット７０Ａに対応する部分（点線部分）Ｋ２を除いて長さを短く設定した１本の水平材として設けられる。
これにより下部梁３２ａが宙ぶらりになってしまうのを回避して建物強度を保持するために、この下部梁３２ａのボックス空間Ｓ側の端部が、上側の上部梁３６ａの中途に下端を連結した中間柱４３ａの下端と連結支持されると共に、下部梁３２ａと同じ高さで平行な下部梁３４ａの中途に一端を連結した中間梁４４ａの他端と連結される。この実施の形態では、さらに、中間柱４５ａと中間梁４６ａとが前記の中間柱４３ａと中間梁４４ａと合せて矩形枠組みとなるように設けられ、建物強度が十分に保持される。
【００１８】
下階の補助ユニット５０Ａは、下部梁５１ａ，５２ａ，５３ａを「コ」の字形に連結された下部梁組と、上部梁５４ａ，５５ａ，５６ａを「コ」の字形に連結された上部梁組と、下部梁組の四隅に立設され上部梁組の四隅を支持連結する４本の柱５７ａ，５８ａ，５９ａ，６０ａとにより、建物の必要強度が確保される。そして、下階の補助ユニット５０Ａは、３側面に窓部材を含む壁（図示省略）が設けられると共に床が設けられ、他方、ボックス空間Ｓ内に骨組・壁が無い状態とするために天井は設けられていない。
【００１９】
上階の補助ユニット７０Ａは、下部梁７１ａ，７２ａ，７３ａを「コ」の字形に連結された下部梁組と、上部梁７４ａ，７５ａ，７６ａを「コ」の字形に連結された上部梁組と、下部梁組の四隅に立設され上部梁組の四隅を支持連結する４本の柱７７ａ，７８ａ，７９ａ，８０ａとにより、建物の必要強度が確保される。そして、上階の補助ユニット７０Ａは、３側面に窓部材を含む壁（図示省略）が設けられると共に天井が設けられ、他方、ボックス空間Ｓ内に骨組・壁が無い状態とするために床は設けられていない。
【００２０】
以上説明したように、基礎上に骨組構造タイプの箱形の下階用建物ユニット１０Ａを設置し、その上に、骨組構造タイプの箱形の上階用建物ユニット３０Ａを積み重ね、さらに、骨組構造タイプの下階用補助ユニット５０Ａを下階用建物ユニット１０Ａの長辺の面に増床し、その上に、骨組構造タイプの上階用補助ユニット７０Ａを積み重ねてかつ上階用建物ユニット３０Ａに接続増床することにより、１、２階の補助ユニット５０Ａ、７０Ａで囲まれた空間と、１、２階の建物ユニット１０Ａ、３０Ａの空間の一部とにより、１階床から２階天井に渡るボックス空間Ｓが、該ボックス空間Ｓ内に骨組・壁が無い状態に、かつ、建物強度を確保して形成することができる。
ボックス空間Ｓ内には骨組・壁が無いから、従来よりも大きな吹き抜け空間とされ、又は、エレベータ設置するために十分に大きな空間を確保でき、或いは傾斜角度が緩い階段を形成できる。
【００２１】
［実施の形態２］
図２（ａ）に示すように、この実施の形態２のユニット式建物１００Ｂは、基礎の上に設置される下階の建物ユニット１０Ｂと、下階の建物ユニット１０Ｂの上に積み重ねられる上階の建物ユニット３０Ｂと、下階の建物ユニット１０Ｂの長尺壁面の中程に増設される下階の補助ユニット５０Ｂと、下階の補助ユニット５０Ｂの上に積み重ねられ上階の建物ユニット３０Ｂと接続された上階の補助ユニット７０Ｂとからなり、図２（ｂ）に示すように、１階床から２階天井に渡る骨組・壁が無いボックス空間Ｓが、下階及び上階の張り出し用補助ユニット５０Ｂ，７０Ｂで囲まれた空間と下階と上階の建物ユニット１０Ｂ，３０Ｂで囲まれた空間の一部とで形成される。以下、この構造を詳述する。
【００２２】
下階及び上階の建物ユニット１０Ｂ，３０Ｂは、実施の形態１の下階及び上階の建物ユニット１０Ａ，３０Ａよりも長尺方向に１．５倍長い大きさに設けられている。下階及び上階の補助ユニット５０Ｂ，７０Ｂは、実施の形態１の下階及び上階の補助ユニット５０Ａ，７０Ａと同様に構成されている。
【００２３】
下階の建物ユニット１０Ｂの前記下階の補助ユニット５０Ｂ側の上部梁は、ボックス空間Ｓ内に骨組・壁が無い状態とするため、長尺な梁とはしないで、左側の上部梁１６ｂ’と右側の上部梁１６ｂ”とに分割されて離れて設けられ、該下階の補助ユニット５０Ａに対応する部分（点線部分）Ｋ１を除いて長さを短く設定した２本の水平材として設けられる。
これにより左側の上部梁１６ｂ’が宙ぶらりになってしまうのを回避して建物強度を保持するため、左側の上部梁１６ｂ’のボックス空間Ｓ側の端部が、下部梁の中途に下端を連結した中間柱２３ｂ’の上端と連結支持されると共に、上部梁１６ｂ’と同じ高さで平行な上部梁の中途に一端を連結した中間梁２４ｂ’の他端と連結され、さらに、中間柱２５ｂ’と中間梁２６ｂ’とが前記の中間柱２３ｂ’と中間梁２４ｂ’と合せて矩形枠組みとなるように設けられ、建物強度が十分に保持される。
【００２４】
また、右側の上部梁１６ｂ”が宙ぶらりになってしまうのを回避して建物強度を保持するため、右側の上部梁１６ｂ”のボックス空間Ｓ側の端部が、下部梁の中途に下端を連結した中間柱２３ｂ”の上端と連結支持されると共に、上部梁１６ｂ”と同じ高さで平行な上部梁の中途に一端を連結した中間梁２４ｂ”の他端と連結され、さらに、中間柱２５ｂ”と中間梁２６ｂ”とが前記の中間柱２３ｂ”と中間梁２４ｂ”と合せて矩形枠組みとなるように設けられ、建物強度が十分に保持される。
【００２５】
図２（ｂ）に示すように、この実施の形態２のユニット式建物１００Ｂは、建物の長尺な面の中央に、１、２階の張り出し用の補助ユニット５０Ｂ、７０Ｂを増設して、この補助ユニット５０Ｂ、７０Ｂに囲まれた空間と、１、２階の建物ユニット１０Ｂ、３０Ｂの空間の一部とにより、１階床から及び２階天井に渡るボックス空間Ｓが、該ボックス空間Ｓ内に骨組・壁が無い状態に、かつ、建物強度を確保して形成でき、ボックス空間Ｓ内に骨組・壁が無いから、従来よりも大きな吹き抜け空間とされ、又は、エレベータを設置するために十分に大きな空間を確保でき、或いは傾斜角度が緩い階段を形成できる。
【００２６】
［実施の形態３］
図３（ａ）に示すように、この実施の形態３のユニット式建物１００Ｃは、基礎の上に設置される下階の建物ユニット１０Ｃと、下階の建物ユニット１０Ｃの上に積み重ねられる上階の建物ユニット３０Ｃと、下階の建物ユニット１０Ｃの長尺壁面の中程に増設される１，２階分の大きさの補助ユニット５０Ｃとからなり、図３（ｂ）に示すように、１階床から２階天井に渡る骨組・壁が無いボックス空間Ｓが、下階及び上階の張り出し用補助ユニット５０Ｃ，７０Ｃで囲まれた空間と下階と上階の建物ユニット１０Ｃ，３０Ｃで囲まれた空間の一部とで形成される。以下、この構造を詳述する。
【００２７】
下階及び上階の建物ユニット１０Ｃ，３０Ｃは、実施の形態１の下階及び上階の建物ユニット１０Ａ，３０Ａと同様に構成されている。補助ユニット５０Ｃは、１，２階へ連続した高さに構成されている。補助ユニット５０Ｃは、下部梁５１ｃ，５２ｃ，５３ｃを「コ」字形に連結された下部梁組と、上部梁５４ｃ，５５ｃ，５６ｃを「コ」字形に連結された上部梁組と、下部梁組の四隅に立設され上部梁組の四隅を支持連結する４本の柱５７ｃ，５８ｃ，５９ｃ，６０ｃとにより、建物の必要強度が確保される。そして、下階の補助ユニット５０Ｃは、３側面に窓部材を含む壁（図示省略）が設けられると共に床と天井が設けられ、他方、ボックス空間Ｓ内に骨組・壁が無い状態とするために接続面内に梁及び壁は設けられていない。
【００２８】
図３（ｂ）に示すように、この実施の形態３のユニット式建物１００Ｃは、建物の長尺な面の中央に、張り出し用の補助ユニット５０Ｃを増設して、この補助ユニット５０Ｃに囲まれた空間と、１、２階の建物ユニット１０Ｃ、３０Ｃの空間の一部とにより、１階床から及び２階天井に渡るボックス空間Ｓが、該ボックス空間Ｓ内に骨組・壁が無い状態に、かつ、建物強度を確保して形成できる。この実施の形態では、ボックス空間Ｓ内に骨組・壁が無いから、従来よりも大きな吹き抜け空間とされ、又は、エレベータを設置するために十分に大きな空間を確保でき、或いは傾斜角度が緩い階段を形成できる。
【００２９】
なお、本発明は、上記実施形態に限られるものではなく、その趣旨と技術思想の範囲を逸脱しない範囲でさらに種々の変形が可能である。本発明のユニット式建物は、壁構造タイプの補助ユニットを増床したものも含む。
【図面の簡単な説明】
【００３０】
【図１】この発明の実施の形態１の骨組構造のユニット式建物に係り、（ａ）は骨組みの斜視図、（ｂ）は骨組みの平面図である。
【図２】この発明の実施の形態２の骨組構造のユニット式建物に係り、（ａ）は骨組みの斜視図、（ｂ）は骨組みの平面図である。
【図３】この発明の実施の形態３の骨組構造のユニット式建物に係り、（ａ）は骨組みの斜視図、（ｂ）は骨組みの平面図である。
【図４】従来の骨組構造のユニット式建物に係り、（ａ）は骨組みの斜視図、（ｂ）は骨組みの平面図である。
【符号の説明】
【００３１】
１００Ａ，１００Ｂ，１００Ｃ  ユニット式建物
１０Ａ，１０Ｂ，１０Ｃ，３０Ａ，３０Ｂ，３０Ｃ  建物ユニット
５０Ａ，５０Ｂ，５０Ｃ，７０Ａ，７０Ｂ  建物ユニット
１２ａ  下部梁
１６ａ，１６ｂ’，１６ｂ”  上部梁
１８ａ  上部梁
２３ａ，２３ｂ’，２３ｂ”  中間柱
２４ａ，２４ｂ’，２４ｂ”  中間梁
３２ａ，３２ｂ’，３２ｂ”  下部梁
３４ａ  下部梁
３６ａ  上部梁
４３ａ，４３ｂ’，４３ｂ”  中間柱
４４ａ，４４ｂ’，４４ｂ”  中間梁
【図１】
2008214965.tif 000003
【図２】
2008214965.tif 000004
【図３】
2008214965.tif 000005
【図４】
2008214965.tif 000006